(57)【要約】【課題】レトルト食品袋等の包装袋を容易に掴んで開封できる上に内容物をしっかりと絞り出すこともできるトングを提供する。【解決手段】トング１は、一対の第１・第２部材２，３と、ジョイント部４と、を備える。第１・第２部材２，３の各先端２１，３１には、包装袋の把持を可能にする掴み部２３，３３が形成される。先端の少なくとも一方２１には、回転可能に支持された刃部５が設けられる。刃部５を使用する場合には、刃部５を回転して、対向する先端３１へ向けて露出した状態で刃部５を固定可能であり、それ以外の場合は、刃部５が設けられた先端２１内に刃部５を安全に格納可能である。さらに、第１・第２部材２，３には、包装袋の内容物の絞り出しを可能にする絞り出し部７や、さらに先端３１側に延びた掬い部８が設けられることが好ましい。【選択図】図１
0003190063.tif 000002
【実用新案登録請求の範囲】
【請求項１】
先端と基端とを有しかつ細長く延びた一対の第１・第２部材と、
前記先端同士を離間させた状態に保持しながら前記基端同士を接続するジョイント部と、
を備えた、包装袋を取り扱うためのトングであって、かつ、
前記第１・第２部材の各先端には、前記第１・第２部材を閉じた状態で互いに接触又は近接して前記包装袋の把持を可能にする掴み部が形成され、
前記先端の少なくとも一方には、回転可能に支持された刃部が設けられ、
前記刃部を使用する場合には、該刃部を回転して、該刃部が設けられた前記先端に対向する前記先端へ向けて露出した状態で該刃部を固定可能であり、
前記刃部を使用しない場合は、該刃部を回転して、該刃部が設けられた前記先端内に該刃部を格納可能であることを特徴とするトング。
【請求項２】
前記露出した状態で固定された前記刃部が、前記掴み部で前記包装袋を把持する際に該包装袋の落下を防止するストッパー部材として使用可能であることを特徴とする請求項１に記載のトング。
【請求項３】
前記刃部が設けられる前記先端には、開口部と、開口部の内壁に設けられた支軸と、が設けられ、かつ、前記刃部は前記開口部に格納可能であるとともに前記支軸によって回転可能に支持されることを特徴とする請求項１又は２に記載のトング。
【請求項４】
前記支軸が、前記第１・第２部材の長手方向又は前記長手方向に直交する方向に延びていることを特徴とする請求項３に記載のトング。
【請求項５】
前記刃部の位置を切り替え可能な位置切替ツマミがさらに設けられていることを特徴とする請求項１〜４のいずれかに記載のトング。
【請求項６】
前記第１・第２部材の前記先端と前記基端との間の少なくとも一方には、前記第１・第２部材を閉じた状態で互いに接触或いは近接して前記包装袋の内容物の絞り出しを可能にする絞り出し部が形成されることを特徴とする請求項１〜５のいずれかに記載のトング。
【請求項７】
前記第１・第２部材の前記掴み部の少なくとも一方には、さらに先端側に延びた掬い部が設けられることを特徴とする請求項１〜６のいずれかに記載のトング。
【考案の詳細な説明】
【技術分野】
【０００１】
本考案は、一般家庭において包装袋を取り扱うためのトングであり、より詳細には、レトルト食品袋等の包装袋を容易に掴んで開封できる上に該袋内の内容物をしっかりと絞り出すこともできるトングに関するものである。
【背景技術】
【０００２】
レトルト食品袋は、「レトルトパウチ」とも呼ばれ、これを食する前に、沸騰した湯の中で加熱することが一般的である。しかしながら、このレトルトパウチを取り扱うための専用調理器具が余り存在しないために、以下のような問題点が見受けられる。
【０００３】
（レトルトパウチ調理の際の従来の問題点１  湯中からの取り出し）
一般の家庭では、レトルトパウチを沸騰した湯の中でくぐらせた後、これを取り出す際には、加熱されたレトルトパウチを掴むのは素手では危険なため、菜箸などを使うことが多い。しかしながら、菜箸などを使ってパウチを上手く把持したり持ちあげたりすることは容易ではない。また、菜箸などでパウチを挟んだ部分は、接触面積が小さくお湯等に触れると滑り易い。このような菜箸を使ってなんとかパウチを湯中から取り出しても、その後、菜箸から滑り抜けて湯中に落下する危険は除去できず、飛散した熱湯による火傷の危険をも招きかねない。
【０００４】
（レトルトパウチ調理の際の従来の問題点２  開封）
湯から取り出したパウチを開封する場合、従来は素手か別途用意したハサミを用いるのが一般的である。パウチに切り口が設けられていれば素手を用いるが、高温のパウチに触れることで火傷の危険を招き、開封のためだけにハサミを用意したり、片付けたりするのも面倒である。
【０００５】
（レトルトパウチ調理の際の従来の問題点３  パウチ内容物の絞り出し）
パウチ内容物を絞り出す際にも、素手か前述した菜箸などを用いるのが一般的である。素手では、パウチを押圧する指同士の接触面積が限られているため上手く絞り出せないし、火傷の危険もある。また、菜箸でもパウチを絞れないこともないが、長く延びた接触面に沿って均等に力（挟持力）を加えながら内容物を絞り出す作業は容易ではなく、菜箸を用いた絞り出し作業は、コツや経験が必要となる。
【０００６】
このような問題点の一つ又は全部を解消するために、以下の特許文献１〜４に示すように、レトルトパウチ専用調理器具は既に開示されている。例えば、特許文献１は、パウチを絞り出すことができるが、開封の際は、カッターの突出状態を維持するために押し出しボタンやバネを指で抑えながら、パウチを開封しなければならなかった。
【０００７】
また、特許文献１に示すようなバネを利用した装置では、洗浄時や長時間使用した場合のメンテナンス（バネ力の保持、バネ内に異物が侵入した場合の除去や洗浄）が簡単ではないことが挙げられる。また、特許文献１の装置は、押し出しボタンに触れると、カッターが直ぐに飛び出すような構造であるため、安全面からも改善する余地があった。
【０００８】
また、特許文献２〜４に開示の器具は、パウチや食材を挟み込む（掴む）機能と、内容物をパウチから絞り出す機能のみ提供するものであって、特許文献１に示したカッターのようなパウチ開封機能を提供するものではなく、別途、ハサミ等が必要である。
【０００９】
このように、特許文献１〜４に開示の器具をもってしても、パウチを取り扱う際の煩わしさは依然として解消されておらず、より使い勝手に優れたパウチ専用器具が要求されている。
【先行技術文献】
【特許文献】
【００１０】
【特許文献１】特開２００６−２２３８３３号公報
【特許文献２】特開２００６−０７６６４９号公報
【特許文献３】特開２００３−１０２６３０号公報
【特許文献４】実開平０７−０２４２４１号公報
【考案の概要】
【考案が解決しようとする課題】
【００１１】
本考案は、従来の実情に鑑みて提案されたものであり、レトルト食品袋等の包装袋を容易に掴んで開封した上に内容物をしっかりと絞り出すこともできるトングを提供することを目的とする。
【００１２】
また、本考案の別の目的は、操作上の安全性が高い包装袋専用トングを提供することである。より具体的には、洗浄性やメンテナンス性に優れた刃部を備え、かつ、この刃部を使用する時だけその露出状態を保持できる一方、その時以外は刃部を安全に格納・保管できる包装袋専用トングを提供することである。
【課題を解決するための手段】
【００１３】
本考案者は、鋭意検討した末、回転構造の刃部を採用すれば、より簡素で安全でメンテナンス性も向上したトングを提供できることを見出し、本考案を完成するに至った。
【００１４】
すなわち、本考案は、例えば、次の構成・特徴を採用するものである。
（態様１）
先端と基端とを有しかつ細長く延びた一対の第１・第２部材と、
前記先端同士を離間させた状態に保持しながら前記基端同士を接続するジョイント部と、
を備えた、包装袋を取り扱うためのトングであって、かつ、
前記第１・第２部材の各先端には、前記第１・第２部材を閉じた状態で互いに接触又は近接して前記包装袋の把持を可能にする掴み部が形成され、
前記先端の少なくとも一方には、回転可能に支持された刃部が設けられ、
前記刃部を使用する場合には、該刃部を回転して、該刃部が設けられた前記先端に対向する前記先端へ向けて露出した状態で該刃部を固定可能であり、
前記刃部を使用しない場合は、該刃部を回転して、該刃部が設けられた前記先端内に該刃部を格納可能であることを特徴とするトング。
（態様２）
前記露出した状態で固定された前記刃部が、前記掴み部で前記包装袋を把持する際に該包装袋の落下を防止するストッパー部材として使用可能であることを特徴とする態様１に記載のトング。
（態様３）
前記刃部が設けられる前記先端には、開口部と、開口部の内壁に設けられた支軸と、が設けられ、かつ、前記刃部は前記開口部に格納可能であるとともに前記支軸によって回転可能に支持されることを特徴とする態様１又は２に記載のトング。
（態様４）
前記支軸が、前記第１・第２部材の長手方向又は前記長手方向に直交する方向に延びていることを特徴とする態様３に記載のトング。
（態様５）
前記刃部の位置を切り替え可能な位置切替ツマミがさらに設けられていることを特徴とする態様１〜４のいずれかに記載のトング。
（態様６）
前記第１・第２部材の前記先端と前記基端との間の少なくとも一方には、前記第１・第２部材を閉じた状態で互いに接触或いは近接して前記包装袋の内容物の絞り出しを可能にする絞り出し部が形成されることを特徴とする態様１〜５のいずれかに記載のトング。
（態様７）
前記第１・第２部材の前記掴み部の少なくとも一方には、さらに先端側に延びた掬い部が設けられることを特徴とする態様１〜６のいずれかに記載のトング。
【考案の効果】
【００１５】
本考案によれば、洗浄性やメンテナンス性に優れた刃部を備え、かつ、この刃部を使用する時だけその露出状態を保持できる一方、その時以外は刃部を安全に収容・保管できる包装袋専用トングを提供することができる。
【００１６】
本考案の好適な態様によれば、レトルト食品袋等の包装袋を容易に掴んで開封できる上に内容物をしっかりと絞り出すこともできるトングを提供することができる。
【図面の簡単な説明】
【００１７】
【図１】（ａ）は、実施例のトングの斜視図であり、（ｂ）は（ａ）とは異なる方向から観た斜視図である。（ａ）及び（ｂ）のいずれも、刃部が外部へ露出した状態を示す。
【図２】（ａ）は、刃部を分離した状態のトングの斜視図であり、（ｂ）は（ａ）とは異なる方向から観た斜視図である。
【図３】実施例のトングの（ａ）正面図、及び（ｂ）左側面図である。
【図４】図３（ｂ）のＡ−Ａ線で破断したトングの（ａ）断面図、及び（ｂ）第１・第２部材を閉じた状態のトングの断面図である。
【図５】実施例のトングの（ａ）断面図、及び（ｂ）第１・第２部材を閉じた状態のトングの断面図である。（ａ）及び（ｂ）のいずれも、刃部が格納された状態を示す。
【考案を実施するための形態】
【００１８】
以下、本考案を図面に示す実施例に基づき説明するが、本考案は、下記の具体的な実施例に何等限定されるものではない。なお、各図において同一又は対応する要素には同一符号を用いる。
【００１９】
なお、以下の実施例では、包装袋としてレトルト食品袋を例示しているが、本考案のトングが適用できる「包装袋」はこの例示に限らず、例えば、その他の食品、液体状又はゲル状である歯磨き粉、詰め替え用洗剤、絵具等の内容物を、気密を保ちながら包装する包装袋にも適用可能である。
【実施例】
【００２０】
実施例のトング１（以下、単に「トング」とも呼ぶ。）は、先端２１，３１と基端２２，３２とを有しかつ細長く延びた一対の第１・第２部材２，３と、先端２１，３１同士を離間させた状態に保持しながら基端２２，３２同士を接続するジョイント部４と、を備える。
【００２１】
これらの第１・第２部材２，３の各先端２１，３１には、第１・第２部材２，３を閉じた状態で互いに接触又は近接してレトルト食品袋（図示せず）の把持を可能にする掴み部２３，３３が形成されている。この掴み部２３，３３は、図３（ａ）に示すように略平坦な面であることが好ましく、第１・第２部材２，３を閉じた状態におくと、互いに面接触するか、面同士が略一定間隔で離間するように構成することが好ましい。
【００２２】
これらの先端２１，３１の少なくとも一方（図示では第１部材２の先端２１には、回転可能に支持された刃部５（つまり、パウチ開封用刃部）が設けられる。
【００２３】
好ましくは、図２に示すように、刃部５が設けられる先端２１には、開口部６と、開口部６の内壁６１に設けられた支軸６２と、が設けられ、かつ、刃部５は開口部６に格納可能であるとともに支軸６２によって回転可能に支持される。
【００２４】
なお、刃部５は、図２に示すように円筒体５１の外周面５２上の一箇所に設けられており、この円筒体５１の両端の切り欠かれた部分は、支軸６２を受け入れて該支軸６２回りに回転可能な支軸受容部５３である。この円筒体５１を支軸６２回りに回転させることによって、刃部５を露出位置（図４を参照）や格納位置（図５を参照）に移動させることが可能となる。
【００２５】
また、開口部６の内壁６１には、刃部５が支軸６２回りに回転する際に描く軌跡部分に相当する切欠き（つまり、刃部移動通路）６３が設けられており、これにより、外周面５２上に突出した刃部５が支軸６２回りに回転しても、内壁６１に衝突することは無い。
【００２６】
さらに、刃部５の外周面５２上の別の箇所には位置切替ツマミ５４が設けられていることが好ましい。なお、この位置切替ツマミ５４は、円筒体５１を開口部６内に収容しても、開口部６の外側に現われる（外側に突き出す）ことがさらに好ましい。これにより、位置切替ツマミ５４を指で触れるようになるため、刃部５の露出位置と格納位置との切替えが容易に行えるとともに、位置切替ツマミ５４の現在位置を視認することにより、刃部５の現在位置を確認することも可能になる。
【００２７】
また、図示しないが、位置切替ツマミ５４を境界にして円筒体５１の外周面５２の一部と他部とを別の色で着色する等して円筒体５１の一部に色分けを施しても良く、これにより、位置切替ツマミ５４の現在位置（ひいては刃部５の現在位置、つまり、刃部５が露出しているか否か）を、一層容易に判別することができるようになる。
【００２８】
さらに好ましくは、支軸６２は、第１・第２部材２，３の長手方向、又は長手方向に直交する方向に延びていることが好ましい。なお、図２に示す支軸６２は、長手方向に直交する方向に延びている。これにより、刃部５を露出させた際に、対向する先端３１（より具体的には、掴み部３３）に、刃部５を垂直に配向させ易くなる。
【００２９】
刃部５や刃部５を収容する開口部６を以上のような構成にすることにより、刃部５を使用する場合には、刃部５を回転して、刃部５が設けられた先端２１に対向する先端３１へ向けて露出した状態で該刃部５を固定可能となる。一方、刃部５を使用しない場合は、刃部５を回転して、刃部５が設けられた先端２１内に刃部５を格納可能となる。
【００３０】
第１・第２部材２，３の先端２１，３１と基端２２，３２との間の少なくとも一方には、第１・第２部材２，３を閉じた状態で互いに接触或いは近接してレトルト食品袋の内容物の絞り出しを可能にする絞り出し部７，７が形成されることが好ましい（例えば、図１〜図３を参照）。
【００３１】
なお、図４（ｂ）や図５（ｂ）は第１・第２部材２，３を閉じた状態を示しており、これらの図では、絞り出し部７同士は接触していないが、例えば、第１・第２部材２，３などを弾性変形可能な材料（例えば、樹脂）から作れば、第１・第２部材２，３を互いに近づけるように力強く指で第１・第２部材２，３を握りしめれば、第１・第２部材２，３ひいては絞り出し部７，７を変形させて、絞り出し部７，７同士が互いに接触した状態、或いは略接触した状態にすることも可能である。
【００３２】
第１・第２部材２，３の掴み部２３，３３の少なくとも一方には、さらに先端（図示では３１）側に延びた掬い部８が設けられることが好ましい。熱い湯で満たされた鍋内にレトルトパウチがどんな姿勢で沈んでいたとしても、この掬い部８を使えば、パウチを容易に掬い上げることができ、所望の姿勢に配置し直すこともできる。その後、掴み部２３，３３を用いて簡単に湯中からパウチを持ちあげることができる。また、掬い部８は、開封したパウチ内の残存物を掻き出すための道具としても使用可能であり、前述の絞り出し部７，７との併用により、パウチ内の内容物をすっかり取り出すことができるようになる。
【００３３】
なお、掴み部２３，３３でレトルト食品袋を把持する際に、刃部５を露出位置に固定した状態にしておけば、当該刃部５の先端がパウチの一部により食い込む（言い換えれば、パウチが刃部５に引っ掛けられる）ようになるため、当該刃部５をパウチの落下を防止するストッパー部材としても使用可能になる。
【００３４】
以上説明したように、本考案のトング１は、一般家庭においてレトルトパウチを取り扱うための器具であり、より詳細には、その掴み部２３，３３を用いることでパウチを容易に掴み、その刃部５を用いることでパウチを開封できる上に、その絞り出し部７，７にパウチ内の内容物をしっかりと絞り出すこともできる。また、その掬い部８を用いることでパウチを湯中から掬いあげられるようになるだけでなく、袋から内容物を掻き出すこともできるようになる。
【産業上の利用可能性】
【００３５】
本考案によれば、従来の同種の器具に比較して、より使い勝手に優れた包装袋専用器具を提供することができる。つまり、本考案のトングによれば、レトルトパウチ等の包装袋を取り扱う際の煩わしさを解消することができる。このように、本考案のトングは、産業上の利用価値及び産業上の利用可能性が非常に高い。
【符号の説明】
【００３６】
１    トング
２，３    第１・第２部材
４    ジョイント部
５    刃部
６    開口部
７    絞り出し部
８    掬い部
２１，３１    第１・第２部材の先端
２２，３２    第１・第２部材の基端
２３，３３    第１・第２部材の掴み部
５４    位置切替ツマミ
６１    開口部の内壁
６２    支軸
【図１】
0003190063.tif 000003
【図２】
0003190063.tif 000004
【図３】
0003190063.tif 000005
【図４】
0003190063.tif 000006
【図５】
0003190063.tif 000007